(57)【要約】【課題】  人工光による発電効率を向上させた発電装置を提供する。【解決手段】  太陽光パネル１０と、太陽光パネル１０を覆うように配置された反射鏡２０と、反射鏡２０を介して太陽光パネル１０に人工光を照射する光源３０とを備える発電装置１である。光源３０は、太陽光パネル１０の周縁部に複数配置されていることが好ましい。【選択図】  図１
2018078705.tif 000002
【特許請求の範囲】
【請求項１】
太陽光パネルと、
前記太陽光パネルを覆うように配置された反射鏡と、
前記反射鏡を介して前記太陽光パネルに人工光を照射する光源とを備える発電装置。
【請求項２】
前記光源は、前記太陽光パネルの周縁部に複数配置されている請求項１に記載の発電装置。
【請求項３】
前記反射鏡は、前記太陽光パネルの一部のみを覆うように配置され、
前記太陽光パネルの露出した残部が太陽光の照射により発電した電力を利用して、前記光源から人工光を照射する請求項１または２に記載の発電装置。
【発明の詳細な説明】
【技術分野】
【０００１】
本発明は、発電装置に関し、より詳しくは、人工光を利用する発電装置に関する。
【背景技術】
【０００２】
太陽光を利用して発電を行う太陽光発電システムが、省エネルギー化などの観点から従来より検討されているが、夜間や雨天・曇天時に発電量が低下するため、安定した発電を行い難いという問題がある。そこで、特許文献１には、人工光と太陽光とを併用して、太陽電池による発電を行う発電システムが開示されている。
【先行技術文献】
【特許文献】
【０００３】
【特許文献１】特開２００６−８６３１３号公報
【発明の概要】
【発明が解決しようとする課題】
【０００４】
上記特許文献１の発電システムは、収納ボックス内に格納された太陽電池モジュールにより発電を行うことで、設置場所の制約を受け難く、安定した発電が可能になるとされている。ところが、ＬＥＤ光などの人工光を照射するパネルが、太陽電池モジュールに対して単に対向配置されているだけであることから、人工光による発電量が十分得られないという問題があった。
【０００５】
そこで、本発明は、人工光による発電効率を向上させた発電装置の提供を目的とする。
【課題を解決するための手段】
【０００６】
本発明の前記目的は、太陽光パネルと、前記太陽光パネルを覆うように配置された反射鏡と、前記反射鏡を介して前記太陽光パネルに人工光を照射する光源とを備える発電装置により達成される。
【０００７】
この発電装置において、前記光源は、前記太陽光パネルの周縁部に複数配置されていることが好ましい。
【０００８】
また、前記反射鏡は、前記太陽光パネルの一部のみを覆うように配置することが可能であり、前記太陽光パネルの露出した残部が太陽光の照射により発電した電力を利用して、前記光源から人工光を照射することができる。
【発明の効果】
【０００９】
本発明によれば、人工光による発電効率を向上させた発電装置を提供することができる。
【図面の簡単な説明】
【００１０】
【図１】本発明の一実施形態に係る発電装置の概略構成を示す断面図である。
【図２】本発明の他の実施形態に係る発電装置の概略構成を示す断面図である。
【発明を実施するための形態】
【００１１】
以下、本発明の実施の形態について、添付図面を参照して説明する。図１は、本発明の一実施形態に係る発電装置の概略構成を示す断面図である。図１に示すように、発電装置１は、太陽光パネル１０、反射鏡２０および光源３０を備えている。光源３０は、太陽光パネル１０を取り囲む枠体１２に複数設置されており、太陽光パネル１０の周縁部から上方に向けて人工光を照射するように配置されている。光源３０の種類は特に限定されず、例えば、白熱電球、蛍光ランプ、ＬＥＤ等を挙げることができるが、電力消費が少ないＬＥＤを好ましく使用することができる。
【００１２】
太陽光パネル１０は、光源３０からの人工光Ａの照射により発電する。太陽光パネル１０で生成された電力は、制御部１４に供給される。制御部１４は、太陽光パネル１０から供給された電力を蓄電して、電力消費機器１６に供給する。電力消費機器１６としては、例えば、屋外用または屋内用の設備機器や家電製品等を挙げることができる。太陽光パネル１０の受光面には、光吸収性を有する層を形成してもよい。
【００１３】
反射鏡２０は、凹状に湾曲した鏡面を有するアルミニウム板などから形成されており、太陽光パネル１０の上方全体を覆うように配置されている。反射鏡２０の鏡面は、エンボス加工などにより粗面化して、光源３０からの人工光Ａを拡散反射させるように構成してもよい。反射鏡２０の一部には、アクリル樹脂等の透明材料からなる窓部２２が形成されている。反射鏡２０は、太陽光パネル１０の上方を密閉するように配置してもよく、あるいは、通気孔を介して太陽光パネル１０の上方空間を通気可能に構成してもよい。反射鏡２０の上部には、放熱用のフィン（図示せず）を設けることができる。
【００１４】
光源３０は、点灯回路３２を介して外部電源３４に接続されており、点灯回路３２が外部電源３４から電力供給を受けることにより点灯する。外部電源３４としては、商用電源の他、太陽光、風力、燃料等により発電する自家発電装置などを挙げることができる。
【００１５】
上記の構成を備える発電装置１によれば、点灯回路３２が各光源３０を点灯させることにより、人工光Ａが反射鏡２０を介して太陽光パネル１０に照射される。太陽光パネル１０の受光面と反射鏡２０の鏡面との間で人工光Ａが繰り返し反射することにより、光源３０から太陽光パネル１０に対して効率良く光照射することができるので、太陽光パネル１０の発電能力を高めることができる。光源３０は、本実施形態のように太陽光パネル１０の周縁部に複数配置することが好ましく、これによって、太陽光パネル１０に対する均一な光照射を容易に行うことができる。
【００１６】
また、太陽光パネル１０の上方が反射鏡２０で覆われることにより、発電装置１を屋外に設置した場合でも、太陽光パネル１０の受光面に雨水や砂塵などが付着し難いため、太陽光パネル１０の発電性能を長期間良好に維持することができる。したがって、電力消費機器１６の安定した動作を実現することができる。
【００１７】
また、反射鏡２０の一部に窓部２２を設けることにより、光源３０から照射された人工光Ａの一部が、窓部２２を介して外部に出射される。したがって、光源３０からの人工光Ａを、発電用として利用するだけでなく、例えば、電力消費機器１６の照明用や装飾用等として利用することができる。
【００１８】
図１に示す発電装置１は、例えば、図２に示すように、一部の太陽電池パネル１０を反射鏡２０で覆う一方、残部の太陽電池パネル１００を外部に露出させて太陽光Ｓにより発電可能に構成することで、残部の太陽電池パネル１００の発電により生じた電力を、制御部１０２により蓄電池１０４に充電することができる。すなわち、残部の太陽電池パネル１００、制御部１０２および蓄電池１０４によって、図１に示す外部電源３４を構成することができ、太陽光Ｓの照射により発電した電力を利用して、光源３０から人工光を照射することができる。図２に示す構成によれば、商用電源の利用が困難な屋外等においても、電力消費機器１６を容易に作動させることができる。なお、図２において、図１と同様の構成部分には同一の符号を付している。
【符号の説明】
【００１９】
１  発電装置
１０  太陽光パネル
２０  反射鏡
３０  光源
【図１】
2018078705.tif 000003
【図２】
2018078705.tif 000004